(57)【要約】【課題】掘りごたつの利用者等に、背もたれを有し、利用し易いソファー又は座椅子を提供する。また、床暖房を採用している場合等に、床面からの暖房熱を遮断することなく着座者に伝え得るソファー又は座椅子を提供する。【解決手段】ソファー又は座椅子の座部を、比較的薄く、可撓性ある敷物で構成して、掘りごたつ等で使用しやすいものにするとともに、座部の伝熱性を高いものとする。背もたれ部の底面後縁辺が直線状に座部後縁辺に接合された形状とし、接合部分を転倒軸として、可撓性ある座部等を折り曲げて背もたれ部を後方に倒せる構造とする。背もたれ部背もたれ面の転倒・回転半径を大きくすることで、背もたれを倒したときに掘りごたつへの出入りを容易にするとともに、背もたれ及び着座姿勢を安定させる。肘掛部底面の外側縁辺を座部外側縁辺に接合された形状とし、背もたれ部と同様に、肘掛部を外側方に倒せる構造とする。【選択図】図１
0003133656.tif 000002
【実用新案登録請求の範囲】
【請求項１】
可撓性ある敷物で構成された座部と、前記座部の後方部分に設けられた背もたれ部と、からなるソファー又は座椅子において、前記背もたれ部の底面に設けた直線状の後縁辺が前記座部の後縁辺に接合された形状であって、前記接合にかかる後縁辺を転倒軸として前記背もたれ部が後方へ転倒可能であることを特徴とする、可倒式背もたれ部を有するソファー又は座椅子。
【請求項２】
可撓性ある敷物で構成された座部と、前記座部の後方部分に設けられた背もたれ部と、前記座部の側方部分に設けられた肘掛部と、からなるソファー又は座椅子において、前記肘掛部の底面に設けた直線状の外側縁辺が前記座部の外側縁辺に接合された形状であって、前記接合にかかる外側縁辺を転倒軸として前記肘掛部が外側方へ転倒可能であることを特徴とする、可倒式肘掛部を有するソファー又は座椅子。
【請求項３】
可撓性ある敷物で構成された座部と、前記座部の後方部分に接合された形状に設けられた背もたれ部と、前記座部の側方部分に接合された形状に設けられた肘掛部と、からなるソファー又は座椅子において、請求項１記載の特徴である可倒式背もたれ部と、請求項２記載の特徴である可倒式肘掛部と、を有するソファー又は座椅子。
【請求項４】
請求項１、請求項２、又は請求項３に記載したソファー又は座椅子において、可撓性ある敷物で構成された座部の厚さが所定の厚さであることを特徴とする、請求項１、請求項２、又は請求項３記載のソファー又は座椅子。
【請求項５】
請求項１又は請求項３に記載したソファー又は座椅子において、背もたれとして使用する際に背もたれ部底面が座面と上下に重なり合う前後の距離（Ｄ）が所定の距離となることを特徴とする、請求項１又は請求項３記載のソファー又は座椅子。
【請求項６】
可撓性ある所定の厚さの敷物で構成された座部と、前記座部の後方部分に接合された形状に設けられた背もたれ部、又は、前記座部の後方部分に接合された形状に設けられた背もたれ部及び前記座部の側方部分に接合された形状に設けられた肘掛部、とからなるソファー又は座椅子。
【考案の詳細な説明】
【技術分野】
【０００１】
本考案は、電気カーペットを敷いている場合や床暖房を行っている場合の使用、掘りごたつの周囲の床面等での使用に特に適したソファー又は座椅子に関するものである。
【背景技術】
【０００２】
掘りごたつや、掘りごたつ式のテーブルは、座り心地の良さから飲食店等で季節に関わらず採用されている。掘りごたつの着座者には背もたれにもたれてくつろぎたいという要望があるが、床面に座る形式となるため、通常の椅子やソファーを利用することができない。
【０００３】
背もたれとして、座椅子の背もたれを利用することが考えられるが、掘りごたつへの出入りの際、座椅子に座ってしまった後は座部の位置を調節し難いため、一旦、体を横に向けて足を出し入れしなくてはならず、不便である。また、掘りごたつ周辺の床面に電気カーペットを敷いたり、床暖房を採用したりしている場合でも、座椅子の座部で電気カーペットや床暖房（以下、「床暖房等」という。）の暖房熱を遮断してしまう。座椅子ごとに加温機構を備えることも考えられているが（例えば、特許文献１、３参照。）、個々の座椅子ごとに暖房機能をオン−オフするのは煩雑である。
【０００４】
クッションを背もたれとして使用することも考えられる。しかし、柔らかすぎる場合には背もたれとして機能しないし、軽過ぎる場合に強くもたれかかると位置がずれ易く、安定しない。逆に、重い場合は動かしにくくなり、掘りごたつの出入りの際に窮屈となって不便である。
【０００５】
薄手の敷物状の座部とクッション部を組み合わせたような特殊形状のソファーの意匠が創作されているが（例えば、特許文献７参照。）、掘りごたつに特に適した形状ではなく、また、その構造や機能は明確ではない。クッションと同様に、背もたれや肘掛の位置がずれ易ければ安定しないし、位置を変えにくければ、掘りごたつの出入りの際に窮屈となって不便である。
【０００６】
背もたれ部を折り畳む構造のソファー兼用ベッドやソファー兼用マットレスでは、背もたれを倒せば、掘りごたつへの出入りの際も背もたれが邪魔になることはない（例えば、特許文献２参照。）。しかし、そのようなソファー兼用ベッドなどは、そのまま一般的なサイズの掘りごたつで使用するには座部が厚すぎて、掘りごたつへの足の出し入れに不便である。また、物品の材質や構造上、座部と床面との断熱性は高いため、座椅子同様に、床暖房等を採用している場合には、暖房効果を減殺する。
【０００７】
【特許文献１】特開昭６３−１７２８４０号公報
【特許文献２】実開平０５−０２１７５３号公報
【特許文献３】実開平０６−０６１１４８号公報
【特許文献４】特開平０７−２３６５６１号公報
【特許文献５】実開昭５９−１４１８５３号公報
【特許文献６】実開昭６０−０１０５６４号公報
【特許文献７】意匠登録１１０５８０４号公報
【考案の開示】
【考案が解決しようとする課題】
【０００８】
解決しようとする問題点は、掘りごたつを使用している場合に背もたれ等を使用しようとして座椅子、背もたれ付きマットレス、ソファー、あるいはクッションなどを使用すると、掘りごたつへの出入りが不便となってしまったり、あるいは、背もたれが安定しなかったりする点であり、また、床暖房等を採用している場合には、床面からの暖房熱を遮断することになってしまう点である。
【課題を解決するための手段】
【０００９】
ソファー又は座椅子（以下、「ソファー等」という。）の座部を可撓性ある薄手の敷物で構成した。
【００１０】
背もたれ部底面の後縁辺を座部後縁辺に直線状に接合した形状として、接合部分を折り曲げて背もたれを倒せるようにした。また、背もたれ面の転倒・回転半径を大きく取るデザインとした。
【００１１】
肘掛部底面の外側縁辺を座部の外側縁辺に直線状に接合した形状として、背もたれ同様に肘掛を可倒式とした。
【考案の効果】
【００１２】
座部の伝熱性を高くできるので、床暖房等の暖房熱を遮断することなく着座者に伝えることができる。このため、掘りごたつ状の掘り込みのない平坦な床面においても、床暖房等の暖房熱を遮断しないソファー等として使用できる。
【００１３】
また、掘りごたつに座って足の出し入れをする際に、床面と座面の高さの差が大きくならないので、利用者に窮屈感を生じさせることがない。
【００１４】
そして、背もたれを倒すことで十分なスペースが生じるため、掘りごたつへの出入りが楽になる。可倒式肘掛を倒すことによっても、同様な効果を生じる。
【００１５】
また、背もたれを倒すことで広くなった座面をベッド同様に使用することで、使用者は座面に横になって体を休めることができる。この際、倒した肘掛は、枕として使用することができる。
【００１６】
背もたれ面の転倒・回転半径が十分大きいため、可倒式の背もたれに強くもたれかかっても安定して使用できる。また、仮に背もたれが傾く程度に強くもたれかかったとしても、座面が傾いたり、上方に引っ張られたりすることがないので不快感がない。
【００１７】
背もたれ部断面を略四角形とするデザインを採用すれば、背もたれを倒した状態でも、倒さない状態でも、上側となった面を座面として利用できる。
【００１８】
さらに、座部と、背もたれ部及び肘掛部とを着脱可能に構成すれば、座部を巻いたり、折りたたんだりすることができる。すなわち、収納に便利な構成を採り易く、また、設計上の自由度も高い。
【考案を実施するための最良の形態】
【００１９】
以下、本考案の実施の形態を、図１〜図３に基づいて説明する。
【００２０】
図１は本考案に係るソファー等（以下、「本考案ソファー等」という。）の背もたれ及び肘掛を倒していない状態を示す図であり、図２は本考案ソファー等の背もたれ及び肘掛を全て倒した状態を示す図である。
図１、図２において、１は座部であり、背もたれ部２は背もたれとして使用する場合の底面２ｃの一辺である直線状の後縁辺３において座部１の後縁辺３に接合されている。両脇の肘掛部４は、肘掛として使用する場合の底面の一辺である直線状の外側縁辺５で座部１の両外側縁辺５に接合されている。
【００２１】
図３は本考案ソファー等の背もたれ部について、使用状況をも示す概略説明図である。座部１の断面と、背もたれ部２の断面２１とを示しており、肘掛部は省略してある。背もたれを倒した場合の背もたれ部２の位置を二点鎖線２２で示している。６は掘りごたつのテーブルに相当する部分を示す断面であり、７は掘りごたつの掘り込み床面である。着座者が掘りごたつに足を差し入れて本考案の座部１の上に座り、背もたれ部２の背もたれ面２bに背中を当てている状態を示している。
【００２２】
図３に示すように、掘りごたつのテーブル端ないし掘り込み縁と本考案ソファー等の背もたれ部背もたれ面２ｂとの間隔は、着座者が背もたれを利用できる程度の距離しかない。かかる状態は、座椅子等を利用する場合であっても同様である。掘りごたつに足を出し入れする際には、体を横向きにするか、背もたれ位置をもっと後方に移動させなくてはならない。
ところが、足を掘りごたつに差し入れたままで体を横向きにしなければならないとすると、着座者に窮屈な姿勢を強いることになる。背もたれを後方に移動させるものとすると、座椅子では座面から腰を浮かせなければならず、不安定な姿勢を強いることになるし、座椅子が重い場合は現実的ではない。
【００２３】
このように、掘りごたつに座って背もたれを利用している場合、掘りごたつと背もたれの間隔は着座者が座るのに十分な程度の狭いスペースしかないのが通常であり、一般的な形状の座椅子等を使用した場合には掘りごたつへの出入りが不便である。しかし、背もたれを後方に倒すことができれば、掘りごたつと背もたれの間のスペースを広げることができるため、掘りごたつへの出入りが楽になる。
【００２４】
例として図１〜図３に示すように、背もたれ部２を、その断面が略四角形になるよう形成した場合には、背もたれを後方に倒すことによって、図３に断面２１で示す背もたれ部２の占めているスペースが空くことになる。背もたれを倒す際には、転倒途中の背もたれ部２は、背もたれ面２ｂよりも前方に出てくる事はないので、着座者が窮屈な思いをすることはない。背もたれを持ち上げる必要はないので、大きな力を加える必要はなく、着座者の負担も小さい。
【００２５】
上記の事情は肘掛を倒す場合も同様である。肘掛部４を倒すことによって生じるスペースは広くはないものの、図１、図２に示す例では肘掛部分の高さは半分ほどになるため、着座者は掘りごたつの出入りのために身体を動かし易くなる。
【００２６】
本考案ソファー等では、厚さ１０ｍｍ以下の可撓性ある敷物によって座部１を構成する。座部１は着座者に不快感を生じさせない限り薄く構成するものとし、座部厚さは５ｍｍ以下とするのが望ましい。
ただし、柔らかい素材の場合には着座者の体重によって座部１が圧縮され、実質的な厚さが減少するため、上記の座部厚さの上限値は、標準的な体重の着座者によって圧縮された厚さを基準に判断すべきものである。
また、座部１の最小厚さを数値で示すことは困難であるが、背もたれに強くもたれかかった際に座部１に生じる引っ張り等の応力に耐えうる厚さであって、容易に破損しない厚さであることが必要である。さらに、捩れなどによる座部の変形によって、着座者に不快感を生じさせないに足る、十分な厚さが確保されるべきものである。
【００２７】
座部１を薄くすることにより、床面と座面の高さの差が座部厚さ程度となるため、一般的に使用されているサイズの掘りごたつを使用する場合であっても、足の出し入れの際に窮屈感を生じさせることがなくなるとともに、床面からの暖房熱が座面を経由して着座者に伝わり易くなる。
【００２８】
通常の座椅子、マットレス、座布団、ソファーなどの座部は、クッション材を使用することにより断熱性を高め、着座者の体温が座面から他所へ逃げないようにして、座部の保温性を良くしている。しかし、座部の断熱性が高くなるように構成すると、座部の下側からの暖房熱も遮断することになる。
【００２９】
そこで、座部１を構成する敷物は、裏地に不織布やフェルト地などを使用した伝熱性が良く、かつ、耐熱性のある敷物とする。例えば、ホットカーペットカバー等と称して販売されている電気カーペットの上敷物と同様の敷物を使用する。
座部１を上述のように薄く、かつ、熱伝導率が高くなるように構成することで、床面からの暖房熱が座面に伝わり易くなる。
【００３０】
具体的には、表地として起毛布等のカーペット地を用い、また、裏地として良好な伝熱性を得られる不織布やフェルト地を用い、表地と裏地とをウレタンフォームなどの芯地を介して接着してなる敷物などが実用化されている（例えば、特許文献４参照。）。
もっとも、必ずカーペット又はカーペット類似の構成とする必要はなく、上述した着座容易性や伝熱性などが確保できれば、表地と裏地の間にクッション素材を挟む構成にするなど、薄手の座布団ないしマットレス状に構成してもかまわない。
【００３１】
本考案ソファー等の背もたれ部２は、背もたれとして使用する状態における底面後縁辺を直線状に座部１の後縁辺に接合した形状として構成し、この直線状の接合形状部分を転倒軸として、座部後方へ倒すことができるようにする。
通常のソファー等の背もたれ外装材は布や皮革等で構成されるものであるから、外装材を座部１に縫着・接合した場合には接合部分で折り曲げ可能である。可撓性がない背もたれ外装材を使用した場合であっても、本考案ソファー等の座部１は可撓性ある敷物で構成されているため、特にヒンジ機構を必要としない。本考案ソファー等は座部１を直接床面に設置する物であるため、倒した背もたれや肘掛を支えるような機構も必要としない。
【００３２】
かかる構成とすることにより、背もたれとして使用している際に強くもたれかかったとしても、座部１と背もたれ部２とが接合された形状であるため、着座者の体重によって座部位置は安定し、背もたれが後方へずれることがない。背もたれが少々傾く程度であったとしても、背もたれ部底面全体が座面に接合されているわけではないので、座椅子を使用した場合のように背もたれ部によって座面・座部が上方に引き上げられることはない。そのため座面・座部が安定し、着座者に不快感を与えない。
【００３３】
背もたれ部２の形状は、その底面２ｃにおいて前後に厚みのある形状とする。図３の断面２１では内部構造は示されていないが、全体を均一の材料で構成する必要はなく、一般的なソファー等と同様に、骨組み材、クッション材、外装材等で構成すればよい。
【００３４】
一般的な座椅子と同様に前後に厚みのない背もたれを採用した場合には、後方転倒を想定した際の転倒・回転軸を大きく後ろ側に離すようにして、強くもたれかかっても後ろ側に転倒しないようなデザインとすることができるが、そのようなデザインは不自然になりがちである。本考案ソファー等においては、この後方転倒を想定した際の転倒・回転軸は、座部後縁辺と背もたれ部底面後縁辺との接合部分であり、図中に３として示す直線状部分である。
【００３５】
図１〜図３に例示した背もたれは、全体が前後に厚みのある形状であって、背もたれ部底面と座面とが上下に重なり合った部分の前後の距離Ｄは、背もたれにもたれかかったときに背もたれごと後ろ側に転倒すると想定した場合の背もたれ面２ｂの転倒・回転半径を定めるものである。この距離Ｄを大きくした場合、背もたれ面２ｂがその転倒・回転運動の接線方向に相当する上方へ大きくずり上げられない限り転倒することはない。
背もたれに強くもたれかかれば、本考案ソファー等においても背もたれ面２ｂは着座者の背中によって多少上方にずり上げられるが、座部１は上方に引き上げられることはないので着座者が上方向に持ち上げられることはない。そして、背もたれ面２ｂが上方へ大きくずり上がることもないので、転倒することなく安定する。
【００３６】
そのような理由により、図１〜図３に示す本考案ソファー等の背もたれ部２は通常の椅子や座椅子の背もたれのような形状ではなく、底面２ｃにおいて前後に厚みのある形状、すなわち背もたれ面の転倒・回転半径を大きくしたデザインを採用し、背もたれを安定させるようにしたものである。
【００３７】
この背もたれ部底面２ｃが座面と上下に重なり合う前後の距離Ｄ（以下、「転倒・回転半径Ｄ」等という。）は少なくとも３０ｃｍ以上であることが望ましい。背もたれ部２を小さく構成した場合でも、背もたれを安定させるためにはその程度の距離が必要であると考えられる。既述したとおり、この転倒・回転半径Ｄが大きいほど、背もたれを倒したときに空くスペースも広くなる。
もっとも、転倒・回転半径Ｄが大きすぎると背もたれを倒しにくくなり、また、倒す際に不安定になるため、必要以上に大きな距離を確保する必要はない。上記の転倒・回転半径Ｄの下限値は、安定して背もたれを使用するための目安の数値であり、背もたれの使用に支障をきたすほど転倒・回転半径Ｄを大きくした背もたれを構成する必要はない。
【００３８】
なお、図１〜図３に例示したように背もたれ部２の断面形状を略四角形として、底面２ｃが座面と上下に重なり合う部分の背もたれ厚さを大きくするだけでなく、全体的に前後に厚みのある背もたれ形状とした場合には、背もたれ部２を倒した状態でも、倒さない状態でも、背もたれ部の上面２ａに腰掛けて座面として利用することができる。
ただし、背もたれ部の断面形状を略四角形に限定する趣旨ではなく、略台形や略三角形、通常の座椅子類似の略Ｌ字形その他の断面形状とすることも考えられる。座椅子類似の略Ｌ字形断面とする場合などには、必ずしも背もたれ部底面での背もたれ厚さを転倒・回転半径Ｄとする必要はなく、転倒・回転半径Ｄは単に背もたれ面２ｂと転倒・回転軸との距離として確保されれば良い。
【００３９】
本考案ソファー等では必ずしも肘掛を設けなくてはならないわけではないが、図１及び図２では肘掛部４を設けた例を示している。
【００４０】
本考案のような形状のソファー等に肘掛を設けた場合、その高さは低くともスペースの区切り・境界として機能するが、背もたれ同様に掘りごたつへの出入りの際に邪魔となって使用者に窮屈感を与える。そこで、肘掛部４を可倒式としておけば掘りごたつへの出入りの際に倒すことができ、利用者の窮屈感を減じることができる。
【００４１】
肘掛部４を可倒式とするには、既述したとおり、肘掛として使用する状態における肘掛部底面外側縁辺を座部外側縁辺に接合し、この直線状の接合部分を転倒軸として、座部外側方へ倒すことができるようにする。本考案ソファー等の座部１は可撓性ある敷物で構成されており、また、床面に直接置かれるものであるため、背もたれ部２を倒す場合と同様に、特別なヒンジ機構を必要とせず、倒した肘掛部４を支えるための機構も必要としない。
【００４２】
肘掛部４を肘掛として使用しているときには、着座者によって肘掛部４に外向きの力が加えられることも想定されるため、肘掛部４と背もたれ部２とに開閉容易な係止具等を設けて肘掛部４を固定できるようにするなど、安定して肘掛を使用できるようにしておくことが望ましい。
【００４３】
また、使用者が背もたれを倒して座面に横になった場合に、倒した肘掛部４を枕として使用できるデザインを採用すると便利である。
【実施例１】
【００４４】
図４は、座部１と背もたれ部２のみで本考案を実施した例であって、１〜３は図１及び図２と同様である。
【００４５】
本実施例は、座部の後縁辺と背もたれ部底面の後縁辺とを直線的に接合するのではなく、座部の一部を折り曲げて背もたれ部背面２ｄを形成した実施例である。座部を構成する敷物の後方部分は背もたれ部背面全体に接合されているが、その全体形状は座部の後縁辺と背もたれ部底面の後縁辺とを直線的に接合した場合と同じ形状になる。
【００４６】
例えば、座部を構成する敷物で背もたれ部背面全体を覆うようにして、背もたれ部背面２ｄの輪郭に沿って縫着・接合した場合には、座部の後縁辺と背もたれ部底面の後縁辺とを単に直線的に接合した場合よりも接合形状部分３の強度を高めることができる。
【００４７】
なお、請求項１〜請求項３及び請求項６において「接合された形状」としているのは、必ずしも座部の一辺と背もたれ部底面又は肘掛部底面の一辺とがその部分のみで線状に接合されている場合に限定されるのではなく、本実施例のように、そのように接合されている場合と同様な形状であれば十分であることを意味する。
また、請求項１においては肘掛部についてなんら言及していないが、請求項１の「ソファー又は座椅子」は、座部又は背もたれ部に固定されている肘掛部を有するソファー等をも含むものである。
【図面の簡単な説明】
【００４８】
【図１】本考案ソファー等の全体斜視図である。座部外側縁辺と肘掛部底面外側縁辺とが接合された形状を呈する直線状部分５を、その部分に沿って描いた太い一点鎖線で示す。
【図２】背もたれ及び肘掛を倒した場合の本考案ソファー等の全体斜視図である。
【図３】本考案背もたれ部の説明図である。背もたれ部を倒したときの断面輪郭を二点鎖線２２で示す。
【図４】実施例１を示す斜視図である。座部後縁辺と背もたれ部底面後縁辺とが接合された形状を呈する直線状部分３を、その部分に沿って描いた太い一点鎖線で示す。
【符号の説明】
【００４９】
１    座部
２    背もたれ部
２ａ    背もたれ部上面
２ｂ    背もたれ部背もたれ面
２ｃ    背もたれ部底面
２ｄ    背もたれ部背面
３    座部・背もたれ部底面の後縁辺接合形状部分
４    肘掛部
５    座部・肘掛部底面の外側縁辺接合形状部分
６    掘りごたつテーブル
７    掘りごたつ掘り込み床面
Ｄ    背もたれ面の転倒・回転半径
【図１】
0003133656.tif 000003
【図２】
0003133656.tif 000004
【図３】
0003133656.tif 000005
【図４】
0003133656.tif 000006